(57)【要約】【課題】来訪者の来訪目的に応じた情報を適切に提供する。【解決手段】情報取得部（11）は、来訪者の来訪目的を示す来訪情報を取得する。情報出力部（12）は、出力パターンに基づいて複数の情報を施設内に待機する複数の来訪者へ向けて出力する。出力制御部（13）は、情報取得部（11）により取得された複数の来訪情報に基づいて情報出力部（12）における情報の出力パターンを変更する。【選択図】図１
2019106080.tif 000002
【特許請求の範囲】
【請求項１】
施設内に待機する複数の来訪者に情報を提供するシステムであって、
来訪者の来訪目的を示す来訪情報を取得する情報取得部と、
出力パターンに基づいて複数の情報を前記施設内に待機する複数の来訪者へ向けて出力する情報出力部と、
前記情報取得部による取得された複数の来訪情報に基づいて前記情報出力部における情報の出力パターンを変更する出力制御部とを備えている
ことを特徴とする情報提供システム。
【請求項２】
請求項１において、
前記情報出力部により出力される複数の情報には、複数の来訪目的にそれぞれ対応する来訪目的関連情報が含まれており、
前記出力制御部は、前記情報取得部により取得された複数の来訪情報に基づいて前記複数の来訪目的の各々について該来訪目的のために前記施設内に待機している来訪者の人数に相当する待機人数を監視し、該複数の来訪目的の各々の待機人数の変化に応じて前記来訪目的関連情報の出力の優先度が変化するように前記情報出力部における情報の出力パターンを変更する
ことを特徴とする情報提供システム。
【請求項３】
請求項２において、
前記出力制御部は、前記複数の来訪目的のうちいずれか１つの来訪目的の待機人数が予め定められた人数閾値を上回ると、該来訪目的に対応する来訪目的関連情報の出力の優先度が高くなるように前記情報出力部における情報の出力パターンを変更する
ことを特徴とする情報提供システム。
【請求項４】
請求項３において、
前記複数の来訪目的の各々に対して、該複数の来訪目的にそれぞれ対応する来訪目的関連情報の出力の優先度を高くする場合の優先順位が予め定められており、
前記出力制御部は、前記複数の来訪目的のうち２つ以上の来訪目的の待機人数が前記人数閾値をそれぞれ上回ると、該２つ以上の来訪目的のうち前記優先順位が最も高い来訪目的に対応する来訪目的関連情報の出力の優先度が高くなるように前記情報出力部における情報の出力パターンを変更する
ことを特徴とする情報提供システム。
【請求項５】
請求項３において、
前記複数の来訪目的の各々に対して、該複数の来訪目的にそれぞれ対応する来訪目的関連情報の出力の優先度を高くする場合の優先順位が予め定められており、
前記出力制御部は、前記複数の来訪目的のうち２つ以上の来訪目的の待機人数が前記人数閾値をそれぞれ上回ると、該２つ以上の来訪目的にそれぞれ対応する２つ以上の来訪目的関連情報の出力の優先度が前記優先順位の順で高くなるように前記情報出力部における情報の出力パターンを変更する
ことを特徴とする情報提供システム。
【請求項６】
請求項４または５において、
前記複数の来訪目的の各々に対して定められた優先順位は、該来訪目的の待機人数が多くなるほど高くなるように設定されている
ことを特徴とする情報提供システム。
【請求項７】
請求項３〜６のいずれか１項において、
前記出力制御部は、前記複数の来訪目的のうち前記来訪目的関連情報の出力の優先度が高くなっている来訪目的の待機人数が前記人数閾値を上回らなくなると、該来訪目的に対応する来訪目的関連情報の出力の優先度が元に戻るように前記情報出力部における情報の出力パターンを変更する
ことを特徴とする情報提供システム。
【請求項８】
請求項３〜７のいずれか１項において、
前記人数閾値は、前記複数の来訪目的毎に設定可能となっている
ことを特徴とする情報提供システム。
【請求項９】
請求項２〜８のいずれか１項において、
前記出力制御部は、前記情報取得部により前記来訪情報が取得されると、前記複数の来訪目的の各々の待機人数のうち該来訪情報に示された来訪目的の待機人数に１を加算し、前記来訪者の待機状態が解除されると該複数の来訪目的の各々の待機人数のうち該来訪者に対応する来訪目的の待機人数から１を減算する
ことを特徴とする情報提供システム。
【請求項１０】
請求項９において、
前記情報取得部は、来訪者の待機状態が解除された旨を示す待機解除情報を取得し、
前記出力制御部は、前記情報取得部により前記待機解除情報が取得されると、前記複数の来訪目的の各々の待機人数のうち該待機解除情報に対応する来訪目的の待機人数から１を減算する
ことを特徴とする情報提供システム。
【請求項１１】
請求項９または１０において、
前記来訪情報は、前記来訪者の来訪時刻を示す時刻情報を含み、
前記出力制御部は、前記情報取得部により取得された来訪情報に含まれる時刻情報に示された来訪時刻から予め定められた解除時間が経過すると、前記複数の来訪目的の各々の待機人数のうち該来訪情報に示された来訪目的の待機人数から１を減算する
ことを特徴とする情報提供システム。
【請求項１２】
請求項１において、
前記情報出力部により出力される複数の情報には、来訪目的に対応する来訪目的関連情報が含まれており、
前記出力制御部は、前記情報取得部により取得された複数の来訪情報に基づいて前記来訪目的のために前記施設内に待機している来訪者の人数に相当する待機人数を監視し、該来訪目的の待機人数の変化に応じて前記来訪目的関連情報の出力の優先度が変化するように前記情報出力部における情報の出力パターンを変更する
ことを特徴とする情報提供システム。
【請求項１３】
施設内に待機する複数の来訪者に情報を提供する装置であって、
来訪者の来訪目的を示す来訪情報を取得する情報取得部と、
出力パターンに基づいて複数の情報を前記施設内に待機する複数の来訪者へ向けて出力する情報出力部と、
前記情報取得部により取得された複数の来訪情報に基づいて前記情報出力部における情報の出力パターンを変更する出力制御部とを備えている
ことを特徴とする情報提供装置。
【発明の詳細な説明】
【技術分野】
【０００１】
ここに開示する技術は、情報提供システムおよび情報提供装置に関する。
【背景技術】
【０００２】
従来、銀行や病院や店舗や役所などの施設内に設けられて施設内の来訪者へ向けて情報を提供する情報提供システム（例えばデジタルサイネージ）が知られている。例えば、特許文献１には、情報を表示する情報表示装置と、情報表示装置への歩行路の手前に設けられたカメラと、カメラで撮像された画像から人物の属性を判定して情報を選択するとともに選択した情報を情報表示装置に表示する制御装置とを備えた電子情報提供システムが開示されている。
【先行技術文献】
【特許文献】
【０００３】
【特許文献１】特開２０１３−１０９０５１号公報
【発明の概要】
【発明が解決しようとする課題】
【０００４】
しかしながら、特許文献１のシステムでは、来訪者の外観に現れる属性（年齢や性別など）に応じた情報を提供することができるが、来訪者の来訪目的に応じた情報を適切に提供することが困難である。
【０００５】
そこで、ここに開示する技術は、来訪者の来訪目的に応じた情報を適切に提供することを目的とする。
【課題を解決するための手段】
【０００６】
ここに開示する技術は、施設内に待機する複数の来訪者に情報を提供する情報提供システムに関し、この情報提供システムは、来訪者の来訪目的を示す来訪情報を取得する情報取得部と、出力パターンに基づいて複数の情報を前記施設内に待機する複数の来訪者へ向けて出力する情報出力部と、前記情報取得部による取得された複数の来訪情報に基づいて前記情報出力部における情報の出力パターンを変更する出力制御部とを備えている。
【０００７】
前記の構成では、来訪者の来訪目的を示す複数の来訪情報に基づいて情報出力部における情報の出力パターンを変更することにより、来訪者の来訪目的に応じた情報を適切に提供することができる。
【０００８】
前記情報出力部により出力される複数の情報には、複数の来訪目的にそれぞれ対応する来訪目的関連情報が含まれていてもよい。そして、前記出力制御部は、前記情報取得部により取得された複数の来訪情報に基づいて前記複数の来訪目的の各々について該来訪目的のために前記施設内に待機している来訪者の人数に相当する待機人数を監視し、該複数の来訪目的の各々の待機人数の変化に応じて前記来訪目的関連情報の出力の優先度が変化するように前記情報出力部における情報の出力パターンを変更するように構成されていてもよい。
【０００９】
前記の構成では、複数の来訪目的の各々の待機人数の変化に応じて来訪目的関連情報（来訪目的に対応する情報）の出力の優先度を変化させることにより、複数の来訪者の来訪目的に応じた情報を複数の来訪者に対して適切に提供することができる。
【００１０】
前記出力制御部は、前記複数の来訪目的のうちいずれか１つの来訪目的の待機人数が予め定められた人数閾値を上回ると、該来訪目的に対応する来訪目的関連情報の出力の優先度が高くなるように前記情報出力部における情報の出力パターンを変更するように構成されていてもよい。
【００１１】
前記の構成では、複数の来訪目的のうちいずれか１つの来訪目的の待機人数が人数閾値を上回る場合に、その来訪目的に対応する来訪目的関連情報の出力の優先度を高くすることにより、その来訪目的関連情報（待機人数が人数閾値を上回る来訪目的に対応する来訪目的関連情報）を優先的に出力することができる。
【００１２】
前記複数の来訪目的の各々に対して、該複数の来訪目的にそれぞれ対応する来訪目的関連情報の出力の優先度を高くする場合の優先順位が予め定められていてもよい。そして、前記出力制御部は、前記複数の来訪目的のうち２つ以上の来訪目的の待機人数が前記人数閾値をそれぞれ上回ると、該２つ以上の来訪目的のうち前記優先順位が最も高い来訪目的に対応する来訪目的関連情報の出力の優先度が高くなるように前記情報出力部における情報の出力パターンを変更するように構成されていてもよい。
【００１３】
前記の構成では、複数の来訪目的のうち２つ以上の来訪目的の待機人数が人数閾値をそれぞれ上回る場合に、その２つ以上の来訪目的のうち優先順位が最も高い来訪目的に対応する来訪目的関連情報の出力の優先度を高くすることにより、その来訪目的関連情報（待機人数が人数閾値をそれぞれ上回る２つ以上の来訪目的のうち優先順位が最も高い来訪目的に対応する来訪目的関連情報）を優先的に出力することができる。
【００１４】
前記複数の来訪目的の各々に対して、該複数の来訪目的にそれぞれ対応する来訪目的関連情報の出力の優先度を高くする場合の優先順位が予め定められていてもよい。そして、前記出力制御部は、前記複数の来訪目的のうち２つ以上の来訪目的の待機人数が前記人数閾値をそれぞれ上回ると、該２つ以上の来訪目的にそれぞれ対応する２つ以上の来訪目的関連情報の出力の優先度が前記優先順位の順で高くなるように前記情報出力部における情報の出力パターンを変更するように構成されていてもよい。
【００１５】
前記の構成では、複数の来訪目的のうち２つ以上の来訪目的の待機人数が人数閾値をそれぞれ上回る場合に、その２つ以上の来訪目的にそれぞれ対応する２つ以上の来訪目的関連情報の出力の優先度を優先順位の順で高くすることにより、その２つ以上の来訪目的関連情報（待機人数が人数閾値をそれぞれ上回る２つ以上の来訪目的にそれぞれ対応する２つ以上の来訪目的関連情報）を優先的に出力することができる。
【００１６】
前記複数の来訪目的の各々に対して定められた優先順位は、該来訪目的の待機人数が多くなるほど高くなるように設定されていてもよい。
【００１７】
前記の構成では、複数の来訪目的の各々に対して定められた優先順位を、その来訪目的の待機人数が多くなるほど高くなるように設定することにより、複数の来訪目的のうち待機人数が比較的に多い来訪目的に対応する来訪目的関連情報を優先的に出力することができる。
【００１８】
前記出力制御部は、前記複数の来訪目的のうち前記来訪目的関連情報の出力の優先度が高くなっている来訪目的の待機人数が前記人数閾値を上回らなくなると、該来訪目的に対応する来訪目的関連情報の出力の優先度が元に戻るように前記情報出力部における情報の出力パターンを変更するように構成されていてもよい。
【００１９】
前記の構成では、複数の来訪目的のうち来訪目的関連情報の出力の優先度が高くなっている来訪目的の待機人数が人数閾値を上回らなくなった場合に、その来訪目的に対応する来訪目的関連情報の出力の優先度を元に戻すことにより、その来訪目的関連情報（待機人数が人数閾値を上回らない来訪目的に対応する来訪目的関連情報）の優先的な出力を適切に終了することができる。
【００２０】
前記人数閾値は、前記複数の来訪目的毎に設定可能となっていてもよい。
【００２１】
前記の構成では、人数閾値を複数の来訪目的毎に設定可能とすることにより、複数の来訪目的にそれぞれ対応する来訪目的関連情報の出力の優先度を高くするタイミングを来訪目的毎に調節することができる。
【００２２】
前記出力制御部は、前記情報取得部により前記来訪情報が取得されると、前記複数の来訪目的の各々の待機人数のうち該来訪情報に示された来訪目的の待機人数に１を加算し、前記来訪者の待機状態が解除されると該複数の来訪目的の各々の待機人数のうち該来訪者に対応する来訪目的の待機人数から１を減算するように構成されていてもよい。
【００２３】
前記の構成では、情報取得部により来訪情報が取得された場合に、その来訪情報に示された来訪目的の待機人数に１を加算し、来訪者の待機状態が解除された場合に、その来訪者に対応する来訪目的の待機人数から１を減算することにより、複数の来訪目的の各々の待機人数を適切に管理することができる。
【００２４】
前記情報取得部は、来訪者の待機状態が解除された旨を示す待機解除情報を取得するように構成されていてもよい。そして、前記出力制御部は、前記情報取得部により前記待機解除情報が取得されると、前記複数の来訪目的の各々の待機人数のうち該待機解除情報に対応する来訪目的の待機人数から１を減算するように構成されていてもよい。
【００２５】
前記の構成では、情報取得部により待機解除情報が取得された場合に、その待機解除情報に対応する来訪目的の待機人数から１を減算することにより、複数の来訪目的の各々の待機人数を適切に管理することができる。
【００２６】
前記来訪情報は、前記来訪者の来訪時刻を示す時刻情報を含んでいてもよい。そして、前記出力制御部は、前記情報取得部により取得された来訪情報に含まれる時刻情報に示された来訪時刻から予め定められた解除時間が経過すると、前記複数の来訪目的の各々の待機人数のうち該来訪情報に示された来訪目的の待機人数から１を減算するように構成されていてもよい。
【００２７】
前記の構成では、情報取得部により取得された来訪情報に含まれる時刻情報に示された来訪時刻から解除時間が経過した場合に、その来訪情報に示された来訪目的の待機人数から１を減算することにより、複数の来訪目的の各々の待機人数から来訪目的を達成せずに施設から退去しているとみなせる来訪者（すなわち施設内に待機していないとみなせる来訪者）の人数を減算することができる。これにより、複数の来訪目的の各々の待機人数を適切に管理することができる。
【００２８】
前記情報出力部により出力される複数の情報には、来訪目的に対応する来訪目的関連情報が含まれていてもよい。そして、前記出力制御部は、前記情報取得部により取得された複数の来訪情報に基づいて前記来訪目的のために前記施設内に待機している来訪者の人数に相当する待機人数を監視し、該来訪目的の待機人数の変化に応じて前記来訪目的関連情報の出力の優先度が変化するように前記情報出力部における情報の出力パターンを変更するように構成されていてもよい。
【００２９】
前記の構成では、来訪目的の待機人数の変化に応じて来訪目的関連情報（来訪目的に対応する情報）の出力の優先度を変化させることにより、来訪者の来訪目的に応じた情報を複数の来訪者に対して適切に提供することができる。
【００３０】
また、ここに開示する技術は、施設内に待機する複数の来訪者に情報を提供する情報提供装置に関し、この情報提供装置は、来訪者の来訪目的を示す来訪情報を取得する情報取得部と、出力パターンに基づいて複数の情報を前記施設内に待機する複数の来訪者へ向けて出力する情報出力部と、前記情報取得部により取得された複数の来訪情報に基づいて前記情報出力部における情報の出力パターンを変更する出力制御部とを備えている。
【００３１】
前記の構成では、来訪者の来訪目的を示す複数の来訪情報に基づいて情報出力部における情報の出力パターンを変更することにより、来訪者の来訪目的に応じた情報を適切に提供することができる。
【発明の効果】
【００３２】
ここに開示する技術によれば、来訪者の来訪目的に応じた情報を適切に提供することができる。
【図面の簡単な説明】
【００３３】
【図１】実施形態１による情報提供システムの構成を例示する概略図である。
【図２】実施形態１による情報提供システムの構成を例示するブロック図である。
【図３】受付装置に表示される目的選択画面の画像の一例を示す図である。
【図４】出力パターンテーブルの一例を示す図である。
【図５】来訪履歴管理テーブルの一例を示す図である。
【図６】待機者管理テーブルの一例を示す図である。
【図７】人数管理テーブルの一例を示す図である。
【図８】制御テーブルの一例を示す図である。
【図９】情報更新動作について説明するためのフローチャートである。
【図１０】出力制御動作について説明するためのフローチャートである。
【図１１】変更後の出力パターンテーブルの一例を示す図である。
【図１２】人数管理テーブルの別例を示す図である。
【図１３】変更後の出力パターンテーブルの別例を示す図である。
【図１４】実施形態１の変形例１における人数管理テーブルの一例を示す図である。
【図１５】実施形態１の変形例１における変更後の出力パターンテーブルの一例を示す図である。
【図１６】実施形態１の変形例２における更新後の人数管理テーブルの一例を示す図である。
【図１７】実施形態１の変形例２における更新後の人数管理テーブルの別例を示す図である。
【図１８】実施形態１の変形例２における変更後の出力パターンテーブルの別例を示す図である。
【図１９】実施形態１の変形例３における制御テーブルの一例を示す図である。
【図２０】実施形態１の変形例３における変更後の出力パターンテーブルの一例を示す図である。
【図２１】実施形態２による情報提供装置の構成を例示するブロック図である。
【発明を実施するための形態】
【００３４】
以下、実施の形態を図面を参照して詳しく説明する。なお、図中同一または相当部分には同一の符号を付しその説明は繰り返さない。
【００３５】
（実施形態１）
図１は、実施形態１による情報提供システム１０の構成を例示している。情報提供システム１０は、施設内に待機する来訪者に情報を提供するように構成されている。情報提供システム１０は、１つまたは複数の受付装置１００と、１つまたは複数の情報提供装置２００と、管理コンピュータ３００と、１つまたは複数の窓口端末４００とを備えている。
【００３６】
この例では、情報提供システム１０は、銀行内に待機する来訪者に情報を提供するように構成されている。そして、情報提供システム１０は、２つの受付装置１００と、銀行内（具体的には待合エリア）に設けられた１つの情報提供装置２００と、１つの管理コンピュータ３００と、３つの窓口端末４００とを備えている。また、情報提供システム１０には、３つの窓口端末４００にそれぞれ対応する３つの貨幣処理装置５００と、３つの窓口端末４００にそれぞれ対応する３つの番号表示器６００とが設けられている。
【００３７】
〔来訪者の来訪目的〕
来訪者は、来訪目的を達成するために施設を来訪し、来訪目的を達成するまで施設内に待機する。そして、来訪者は、来訪目的を達成すると施設内から退去する。例えば、現金の預け入れのために銀行に来訪した来訪者は、銀行の窓口において現金の預け入れを行うまで銀行内に待機し、現金の預け入れが完了すると銀行内から退去する。
【００３８】
なお、この例では、銀行に来訪する来訪者に選択される来訪目的として、５つの来訪目的（「お預け入れ・お引き出し」と「各種お手続き」と「資産運用・保険のご相談」と「お振込み・税金・公共料金」と「ご融資・ローンのご相談」）が設定されている。「お預け入れ・お引き出し」には、現金の預け入れや引き出しや両替などが含まれている。「各種お手続き」には、口座開設の手続きや住所・名義変更の手続きや通帳・カードの紛失の手続きなどが含まれている。「資産運用・保険のご相談」には、投資信託などの金融商品の購入や保険加入の相談などが含まれている。「お振込み・税金・公共料金」には、別口座への振込みや公共料金の払い込みなどが含まれている。「ご融資・ローンのご相談」には、住宅ローンや自動車ローンなどの融資の相談などが含まれている。
【００３９】
〔受付装置〕
受付装置１００は、来訪者による操作に応答して受付処理（来訪者の来訪目的を受け付けるための処理）を行うように構成されている。この例では、図２に示すように、受付装置１００は、操作部１０１と表示部１０２と記憶部１０３と印字部１０４と制御部１０５とを備えている。
【００４０】
操作部１０１（情報入力部）は、来訪者による操作が与えられ、その来訪者による操作に応じて情報を入力するように構成されている。例えば、操作部１０１は、タッチパネルの操作部によって構成されている。なお、操作部１０１は、タッチパネルの操作部とタッチペンとの組合せによって構成されていてもよい。表示部１０２は、情報（情報を示す画像）を表示するように構成されている。例えば、表示部１０２は、タッチパネルの表示部によって構成されている。記憶部１０３は、情報を記憶するように構成されている。例えば、記憶部１０３は、ハードディスクドライブやフラッシュメモリなどの汎用ストレージデバイスによって構成されている。印字部１０４は、情報を印字媒体（例えばレシート）に印字するように構成されている。
【００４１】
制御部１０５は、受付装置１００の各部（操作部１０１と表示部１０２と記憶部１０３と印字部１０４）と信号を伝送可能に接続されている。また、制御部１０５は、情報提供システム１０の各部（情報提供装置２００と管理コンピュータ３００と窓口端末４００）と通信可能に構成されている。そして、制御部１０５は、操作部１０１に与えられた操作や受付装置１００の各部および情報提供システム１０の各部から受信した信号や情報に基づいて、受付装置１００の各部を制御して受付装置１００の動作を制御するように構成されている。例えば、制御部１０５は、ＣＰＵなどの演算処理部，演算処理部を動作させるためのプログラムや情報を記憶するメモリなどの記憶部などによって構成されている。
【００４２】
この例では、２つの受付装置１００のうち１つの受付装置１００（図１における左側の受付装置１００）は、銀行の出入口の近傍に配置されている。また、２つの受付装置１００のうち残りの１つの受付装置１００（図１における右側の受付装置１００）は、電子記帳台によって構成されている。電子記帳台では、来訪者により操作部１０１（タッチパネルの操作部とタッチペンとの組合せ）が操作されて伝票作成のために必要な情報（例えば顧客情報や金額など）が操作部１０１に入力される。
【００４３】
〔目的選択画面〕
また、この例では、記憶部１０３には、目的選択画面の画像データが記憶されている。図３に示すように、目的選択画面には、複数（この例では５つ）の来訪目的が含まれている。また、図３に示した目的選択画面には、複数の来訪目的の中からいずれか１つの来訪目的を選択することを促すメッセージ（図３では「ご用件のボタンを押してください」というメッセージ）と、複数の来訪目的の各々の待機人数（その来訪目的を達成するために施設内に待機している来訪者の人数）を表示するための人数表示領域が設けられている。例えば、制御部１０５は、管理コンピュータ３００に対して複数の来訪目的の各々の待機人数の通知を要求し、管理コンピュータ３００から通知された複数の来訪目的の各々の待機人数が目的選択画面に設けられた複数の人数表示領域（複数の来訪目的にそれぞれ対応する複数の人数表示領域）にそれぞれ表示されるように表示部１０２を制御する。
【００４４】
〔受付番号情報〕
また、この例では、記憶部１０３には、複数の来訪目的毎に受付番号に関する情報（受付番号情報）が記憶されている。受付番号情報には、次に来訪者に付与すべき受付番号が含まれている。なお、この例では、「お預け入れ・お引き出し」という来訪目的には１００番台の受付番号が付与され、「各種お手続き」という来訪目的には２００番台の受付番号が付与され、「資産運用・保険のご相談」という来訪目的には３００番台の受付番号が付与され、「お振込み・税金・公共料金」という来訪目的には４００番台の受付番号が付与され、「ご融資・ローンのご相談」という来訪目的には５００番台の受付番号が付与される。
【００４５】
〔受付処理〕
ここで、受付装置１００において行われる受付処理（来訪者の来訪目的を受け付けるための処理）について説明する。この受付処理では、複数の来訪目的の中から来訪者により選択された来訪目的を示す情報が受付装置１００に入力され、受付番号が印字された印字媒体（例えばレシート）が来訪者に発行される。また、受付処理では、複数の来訪目的の中から来訪者により選択された来訪目的を示す情報（来訪者の来訪目的を示す来訪情報）が受付装置１００から管理コンピュータ３００へ向けて送信される。
【００４６】
具体的には、受付処理では、表示部１０２は、記憶部１０３に記憶された目的選択画面の画像データに基づいて目的選択画面の画像を表示する。来訪者は、操作部１０１を操作して表示部１０２に表示された目的選択画面に含まれる複数の来訪目的の中からいずれか１つの来訪目的を選択する。これにより、複数の来訪目的の中から来訪者により選択された来訪目的を示す情報（目的情報）が操作部１０１に入力される。
【００４７】
目的選択画面に含まれる複数の来訪目的の中からいずれか１つの来訪目的を選択するための操作が操作部１０１に与えられると、制御部１０５は、その操作が与えられた時刻を来訪者の来訪時刻として取得する。すなわち、この例では、来訪者の来訪目的を示す情報が操作部１０１に入力された時刻を来訪者の来訪時刻とみなしている。
【００４８】
また、制御部１０５は、来訪者により選択された来訪目的に応じた受付番号が印字媒体に印字されるように印字部１０４を制御する。例えば、制御部１０５は、記憶部１０３に複数の来訪目的毎に記憶された受付番号情報の中から来訪者により選択された来訪目的に対応する受付番号情報を検出し、その検出された受付番号情報に示された受付番号が印字媒体に印字されるように印字部１０４を制御し、受付番号の印字が完了すると受付番号情報（来訪者により選択された来訪目的に対応する受付番号情報）に示された受付番号に１を加算する。このようにして受付番号が印字された印字媒体は、印字部１０４から来訪者に発行される。
【００４９】
そして、制御部１０５は、来訪者により操作部１０１に入力された目的情報（複数の来訪目的の中から来訪者により選択された来訪目的を示す情報）と、来訪者の来訪時刻を示す時刻情報と、来訪者に付与された受付番号を示す番号情報とを含む来訪情報を管理コンピュータ３００に送信する。なお、来訪情報には、目的情報と時刻情報と番号情報に加えて、伝票作成のために必要な情報（例えば顧客情報や金額など）が含まれていてもよい。
【００５０】
〔情報提供装置〕
図１に示すように、情報提供装置２００は、施設内に設けられ、施設内に待機する来訪者に情報を提供するように構成されている。この例では、図２に示すように、情報提供装置２００は、表示部２０１と記憶部２０２と制御部２０３とを備えている。
【００５１】
表示部２０１は、情報（情報を示す画像）を表示するように構成されている。例えば、表示部２０１は、大画面液晶表示パネルによって構成されている。記憶部２０２は、情報を記憶するように構成されている。例えば、記憶部２０２は、ハードディスクドライブやフラッシュメモリなどの汎用ストレージデバイスによって構成されている。
【００５２】
制御部２０３は、情報提供装置２００の各部（表示部２０１と記憶部２０２）と信号を伝送可能に接続されている。また、制御部２０３は、情報提供システム１０の各部（受付装置１００と管理コンピュータ３００と窓口端末４００）と通信可能に構成されている。そして、制御部２０３は、情報提供装置２００の各部および情報提供システム１０の各部から受信した信号や情報に基づいて、情報提供装置２００の各部を制御して情報提供装置２００の動作を制御するように構成されている。例えば、制御部２０３は、ＣＰＵなどの演算処理部，演算処理部を動作させるためのプログラムや情報を記憶するメモリなどの記憶部などによって構成されている。
【００５３】
〔情報提供装置により出力される情報〕
また、記憶部２０２には、情報提供装置２００により出力される複数の情報が記憶されている。この例では、情報提供装置２００により出力される複数の情報には、複数の来訪目的にそれぞれ対応する来訪目的関連情報が含まれている。来訪目的関連情報は、その来訪目的関連情報に対応する来訪目的と関連性のある情報である。
【００５４】
この例では、５つの来訪目的関連情報と１つの情報（来訪目的に対応付けられていない情報）とが記憶部２０２に記憶されている。具体的には、「お預け入れ・お引き出し」という来訪目的に対応する来訪目的関連情報として「インターネットバンキングの紹介」に関する情報（この例では画像データ、以下同様）が記憶され、「各種お手続き」という来訪目的に対応する来訪目的関連情報として「各種手続の説明」に関する情報が記憶され、「資産運用・保険のご相談」という来訪目的に対応する来訪目的関連情報として「金融商品・保険商品の紹介」に関する情報が記憶され、「お振り込み・税金・公共料金」という来訪目的に対応する来訪目的関連情報として「詐欺被害の注意喚起」に関する情報が記憶され、「ご融資・ローンのご相談」という来訪目的に対応する来訪目的関連情報として「優遇金利ローンキャンペーンのお知らせ」に関する情報が記憶されている。また、５つの来訪目的のいずれにも対応付けられていない情報（非来訪目的関連情報）として「年末年始の営業時間のお知らせ」に関する情報が記憶されている。
【００５５】
〔出力パターンテーブル〕
また、この例では、記憶部２０２には、出力パターンテーブルが記憶されている。出力パターンテーブルには、情報提供装置２００における情報の出力パターン（出力規則）が示されている。図４に示すように、出力パターンテーブルには、情報提供装置２００により出力される複数の情報（この例では５つの来訪目的関連情報と１つの情報）と、複数の情報のそれぞれの出力時間（時間の長さ）と、複数の情報のそれぞれの出力順番とが登録されている。すなわち、出力パターンテーブルには、情報提供装置２００により出力される情報と出力時間と出力順番とが対応付けて登録されている。
【００５６】
図４の出力パターンテーブルには、６つの情報（すなわち５つの来訪目的関連情報と１つの情報）を１つずつ順番に１０秒間ずつ出力するという出力パターンが示されている。例えば、図４の出力パターンテーブルの第１段目には「インターネットバンキングの紹介」に関する情報を第１番目に１０秒間出力することが示され、第２段目には「各種手続の説明」に関する情報を第２番目に１０秒間出力することが示されている。なお、第６番目の「年末年始の営業時間のお知らせ」に関する情報の出力が完了する（すなわち１０秒間出力される）と、第１番目の「インターネットバンキングの紹介」に関する情報の出力が開始される。すなわち、情報提供装置２００では、複数の情報が繰り返し出力される。
【００５７】
〔情報出力部〕
また、この例では、表示部２０１は、情報出力部１２を構成している。情報出力部１２は、出力パターンに基づいて複数の情報（この例では複数の来訪目的関連情報を含む複数の情報）を施設内に待機する複数の来訪者へ向けて出力する。具体的には、表示部２０１（情報出力部１２）は、記憶部２０２に記憶された出力パターンテーブルに示された出力パターンに基づいて、記憶部２０２に記憶された複数の情報の中からいずれか１つの情報を表示（出力）する。例えば、表示部２０１は、図４に示された出力パターンテーブルに基づいて、記憶部２０２に記憶された６つの情報（すなわち５つの来訪目的関連情報と１つの情報）を１つずつ順番に１０秒間ずつ出力する。
【００５８】
〔管理コンピュータ〕
管理コンピュータ３００は、情報提供システム１０の各部（受付装置１００と情報提供装置２００と窓口端末４００）を管理するように構成されている。また、管理コンピュータ３００は、管理者（図示を省略）による操作に応答して各種処理を行うように構成されている。この例では、管理コンピュータ３００は、操作部３０１と表示部３０２と記憶部３０３と制御部３０４とを備えている。
【００５９】
操作部３０１は、管理者による操作が与えられ、その管理者による操作に応じて情報を入力するように構成されている。例えば、操作部３０１は、キーボードやマウスなどによって構成されている。表示部３０２は、情報を表示するように構成されている。例えば、表示部３０２は、液晶表示パネルなどによって構成されている。記憶部３０３は、情報を記憶するように構成されている。例えば、記憶部３０３は、ハードディスクドライブやフラッシュメモリなどの汎用ストレージデバイスによって構成されている。
【００６０】
制御部３０４は、管理コンピュータ３００の各部（操作部３０１と表示部３０２と記憶部３０３）と信号を伝送可能に接続されている。また、制御部３０４は、情報提供システム１０の各部と通信可能に構成されている。そして、制御部３０４は、操作部３０１に与えられた操作や管理コンピュータ３００の各部および情報提供システム１０の各部から受信した信号や情報に基づいて、管理コンピュータ３００の各部を制御して管理コンピュータ３００の動作を制御するように構成されている。例えば、制御部３０４は、ＣＰＵなどの演算処理部，演算処理部を動作させるためのプログラムや情報を記憶するメモリなどの記憶部などによって構成されている。
【００６１】
この例では、制御部３０４は、情報取得部１１と、出力制御部１３とを有している。なお、情報取得部１１と出力制御部１３については、後で詳しく説明する。
【００６２】
〔各種テーブル〕
この例では、記憶部３０３には、来訪履歴管理テーブルと、待機者管理テーブルと、人数管理テーブルと、制御テーブルとが記憶されている。
【００６３】
〈来訪履歴管理テーブル〉
図５に示すように、来訪履歴管理テーブルには、受付装置１００から送信された来訪情報が登録される。この例では、来訪履歴管理テーブルには、来訪情報に含まれる番号情報（来訪者に付与された受付番号を示す情報）と目的情報（来訪者の来訪目的を示す情報）と時刻情報（来訪者の来訪時刻を示す情報）とが対応付けられて登録される。また、この例では、来訪履歴情報テーブルには、来訪者の処理開始時刻（来訪目的に応じた処理が来訪者に対して開始された時刻）を示す開始時刻情報と、来訪者が待機状態（来訪目的のために施設内に待機している状態）であるか否かを示すステータス情報とが来訪情報（この例では受付番号と来訪目的と来訪時刻との組合せ）に対応付けられて登録される。なお、ステータス情報の「待機」は、来訪者が待機状態であることを示し、「済み」は、来訪者の待機状態が解除されたことを示している。
【００６４】
〈待機者管理テーブル〉
図６に示すように、待機者管理テーブルには、来訪履歴管理テーブルに登録された来訪情報（この例では受付番号を示す番号情報と来訪目的を示す目的情報と来訪時刻を示す時刻情報との組合せ）のうち「待機」を示すステータス情報が対応付けられた来訪情報が登録される。
【００６５】
〈人数管理テーブル〉
図７に示すように、人数管理テーブルには、複数の来訪目的と、複数の来訪目的のそれぞれに定められた人数閾値と、複数の来訪目的のそれぞれに定められた優先順位と、複数の来訪目的のそれぞれの待機人数と、複数の来訪目的のそれぞれの優先度（来訪目的関連情報の出力の優先度）とが登録されている。なお、優先順位は、複数の来訪目的にそれぞれ対応する来訪目的関連情報の出力の優先度を高くする場合の優先順位である。
【００６６】
〈制御テーブル〉
図８に示すように、制御テーブルには、情報の出力の優先度と情報の出力時間とが対応付けられて登録されている。図８に示した制御テーブルでは、情報の出力の優先度が高くなるに連れて、その情報の出力時間が長くなる。
【００６７】
〔窓口端末〕
窓口端末４００は、係員（図示を省略）による操作に応答して各種処理を行うように構成されている。また、窓口端末４００は、その窓口端末４００に対応する貨幣処理装置５００と番号表示器６００を管理するように構成されている。この例では、窓口端末４００は、操作部４０１と表示部４０２と記憶部４０３と制御部４０４とを備えている。
【００６８】
操作部４０１は、係員による操作が与えられ、その係員による操作に応じて情報を入力するように構成されている。例えば、操作部４０１は、キーボードやマウスなどによって構成されている。表示部４０２は、情報を表示するように構成されている。例えば、表示部４０２は、液晶表示パネルなどによって構成されている。記憶部４０３は、情報を記憶するように構成されている。例えば、記憶部４０３は、ハードディスクドライブやフラッシュメモリなどの汎用ストレージデバイスによって構成されている。
【００６９】
制御部４０４は、窓口端末４００の各部（操作部４０１と表示部４０２と記憶部４０３）と信号を伝送可能に接続されている。また、制御部４０４は、情報提供システム１０の各部（受付装置１００と情報提供装置２００と管理コンピュータ３００）と通信可能に構成されている。そして、制御部４０４は、操作部４０１に与えられた操作や窓口端末４００の各部および情報提供システム１０の各部から受信した信号や情報に基づいて、窓口端末４００の各部を制御して窓口端末４００の動作を制御するように構成されている。例えば、制御部４０４は、ＣＰＵなどの演算処理部，演算処理部を動作させるためのプログラムや情報を記憶するメモリなどの記憶部などによって構成されている。
【００７０】
〔貨幣処理装置と番号表示器〕
貨幣処理装置５００は、硬貨や紙幣などの貨幣を処理するように構成されている。具体的には、貨幣処理装置５００は、係員による操作に応答して各種処理（入金処理や出金処理など）を行うように構成されている。番号表示器６００は、受付番号を表示するように構成されている。
【００７１】
〔窓口処理〕
ここで、窓口端末４００において行われる窓口処理について説明する。この窓口処理では、来訪者の要望に応じて係員が窓口端末４００を操作して各種業務を行う。また、窓口処理では、来訪者の要望に応じた係員の操作（窓口端末４００の操作）が開始されると、来訪者の受付番号を示す窓口処理情報（来訪者の待機状態が解除された旨を示す待機解除情報）が窓口端末４００から管理コンピュータ３００へ向けて送信される。
【００７２】
具体的には、窓口端末４００を操作する係員は、来訪者対応が可能となると、窓口端末４００を操作して来訪者の待機状況を確認する。例えば、窓口端末４００は、係員による操作に応答して待機者管理テーブルの閲覧要求を管理コンピュータ３００に送信し、管理コンピュータ３００は、その閲覧要求に応答して窓口端末４００による待機者管理テーブル（記憶部３０３に記憶された待機者管理テーブル）の閲覧を許諾する。これにより、係員は、窓口端末４００を操作して待機者管理テーブルを閲覧することができる。
【００７３】
次に、係員は、窓口端末４００を操作して待機者管理テーブルに登録された来訪情報の中からいずれか１つの来訪情報を選択する。制御部４０４は、係員により選択された来訪情報に示された受付番号が番号表示器６００（窓口端末４００に対応する番号表示器６００）に表示されるように番号表示器６００を制御する。なお、来訪情報の選択は、システム側（例えば窓口端末４００や管理コンピュータ３００など）において自動的に行われてもよい。
【００７４】
そして、番号表示器６００に表示された受付番号が付与された来訪者が窓口に来ると、係員は、来訪者の要望に応じて窓口端末４００や貨幣処理装置５００を操作して各種処理を行う。また、制御部４０４は、来訪者の要望に応じて係員の操作（窓口端末４００や貨幣処理装置５００の操作）が開始されると、その操作が与えられた時刻を処理開始時刻として取得し、その処理開始時刻を示す時刻情報と、その来訪者に付与された受付番号を示す番号情報（来訪者の待機状態が解除された旨を示す情報）とを含む窓口処理情報を管理コンピュータ３００に送信する。
【００７５】
〔情報取得部〕
情報取得部１１は、複数の来訪目的の中から来訪者により選択された来訪目的を示す来訪情報（来訪者の来訪目的を示す情報）を取得する。この例では、情報取得部１１は、受付装置１００から送信された来訪情報を受信する。情報取得部１１により受信（取得）された来訪情報は、記憶部３０３に記憶された来訪履歴管理テーブルに登録される。
【００７６】
また、情報取得部１１は、来訪者の受付番号を示す窓口処理情報（来訪者の待機状態が解除された旨を示す待機解除情報）を取得する。この例では、情報取得部１１は、窓口端末４００から送信された窓口処理情報を受信する。
【００７７】
〔出力制御部〕
出力制御部１３は、情報取得部１１により取得された複数の来訪情報に基づいて、情報提供装置２００の表示部２０１（情報出力部１２）における情報の出力パターンを変更するように構成されている。具体的には、出力制御部１３は、情報取得部１１により取得された来訪情報に基づいて複数の来訪目的の各々の待機人数（その来訪目的のために施設内に待機している来訪者の人数）を監視し、複数の来訪目的の各々の待機人数の変化に応じて来訪目的関連情報の出力の優先度が変化するように、情報提供装置２００の表示部２０１（情報出力部１２）における情報の出力パターンを変更する。
【００７８】
この例では、出力制御部１３は、情報取得部１１により来訪情報が取得されると複数の来訪目的の各々の待機人数のうちその来訪情報（情報取得部１１により取得された来訪情報）に示された来訪目的の待機人数に１を加算する。
【００７９】
また、この例では、出力制御部１３は、来訪者の待機状態が解除されると複数の来訪目的の各々の待機人数のうちその来訪者（待機状態が解除された来訪者）に対応する来訪目的の待機人数から１を減算する。具体的には、出力制御部１３は、情報取得部１１により窓口処理情報（来訪者の待機状態が解除された旨を示す待機解除情報）が取得されると、複数の来訪目的の各々の待機人数のうちその窓口処理情報（待機解除情報）に対応する来訪目的の待機人数から１を減算する。すなわち、この例では、来訪者が窓口に来て来訪者に対する処理（来訪目的に応じた処理）が開始されることで、その来訪者の待機状態が解除されたとみなしている。
【００８０】
また、この例では、来訪情報は、来訪者の来訪時刻を示す時刻情報を含んでいる。出力制御部１３は、情報取得部１１により取得された来訪情報に含まれる時刻情報に示された来訪時刻から予め定められた解除時間が経過すると、複数の来訪目的の各々の待機人数のうちその来訪情報に示された来訪目的の待機人数から１を減算する。なお、解除時間は、施設内に待機している来訪者が来訪目的を達成せずに退去しているとみなすことができる時間（例えば１時間）に設定されている。
【００８１】
また、この例では、出力制御部１３は、複数の来訪目的のうちいずれか１つの来訪目的の待機人数が予め定められた人数閾値を上回ると、その来訪目的に対応する来訪目的関連情報の出力の優先度が高くなるように、情報提供装置２００の表示部２０１（情報出力部１２）における情報の出力パターンを変更する。
【００８２】
また、この例では、複数の来訪目的の各々に対して、複数の来訪目的にそれぞれ対応する来訪目的関連情報の出力の優先度を高くする場合の優先順位が予め定められている。そして、出力制御部１３は、複数の来訪目的のうち２つ以上の来訪目的の待機人数が人数閾値をそれぞれ上回ると、その２つ以上の来訪目的のうち優先順位が最も高い来訪目的に対応する来訪目的関連情報の出力の優先度が高くなるように、情報提供装置２００の表示部２０１（情報出力部１２）における情報の出力パターンを変更する。
【００８３】
また、この例では、出力制御部１３は、複数の来訪目的のうち来訪目的関連情報の出力の優先度が高くなっている来訪目的の待機人数が人数閾値を上回らなくなると、その来訪目的に対応する来訪目的関連情報の出力の優先度が元に戻るように、情報提供装置２００の表示部２０１（情報出力部１２）における情報の出力パターンを変更する。
【００８４】
また、この例では、人数閾値は、複数の来訪目的毎に設定可能となっている。例えば、管理コンピュータ３００の記憶部３０３には、複数の来訪目的毎に人数閾値が記憶されており、出力制御部１３は、管理コンピュータ３００の操作部３０１に与えられた操作（人数閾値を変更するための操作）に応答して記憶部３０３に記憶された人数閾値を変更するように構成されている。
【００８５】
〔情報更新動作〕
次に、図９を参照して、出力制御部１３による情報更新動作について説明する。
【００８６】
〈ステップＳ１１〉
まず、出力制御部１３は、情報取得部１１により来訪情報が取得されたか否かを判定する。情報取得部１１により来訪情報が取得された場合には、ステップＳ１２へ進み、そうでない場合には、ステップＳ１３へ進む。
【００８７】
〈ステップＳ１２〉
情報取得部１１により来訪情報が取得されると、出力制御部１３は、情報取得部１１により取得された来訪情報を来訪履歴管理テーブルに登録し、その来訪履歴管理テーブルに登録された来訪情報に対して「未（未登録）」を示す時刻情報と「待機」を示すステータス情報とを対応付ける。また、出力制御部１３は、来訪履歴管理テーブルに登録された来訪情報の中から「待機」を示すステータス情報に対応付けられた来訪情報を抽出し、その抽出された来訪情報が待機者管理テーブルに登録されるように待機者管理テーブルを更新する。そして、出力制御部１３は、人数管理テーブルに登録された複数（図７の例では５つ）の来訪目的の各々の待機人数のうちその来訪情報（情報取得部１１による取得された来訪情報）に示された来訪目的の待機人数に１を加算する。すなわち、出力制御部１３は、情報取得部１１により来訪情報が取得されると、人数管理テーブルに登録された複数の来訪目的の各々の待機人数のうちその来訪情報に示された来訪目的の待機人数に１を加算する。次に、ステップＳ１３へ進む。
【００８８】
〈ステップＳ１３〉
次に、出力制御部１３は、情報取得部１１により窓口処理情報が取得されたか否かを判定する。情報取得部１１により窓口処理情報が取得された場合には、ステップＳ１４へ進み、そうでない場合には、ステップＳ１５へ進む。
【００８９】
〈ステップＳ１４〉
情報取得部１１により窓口処理情報が取得されると、出力制御部１３は、来訪履歴管理テーブルに登録された来訪情報の中から情報取得部１１により取得された窓口処理情報（具体的には窓口処理情報に含まれる番号情報）に示された受付番号と同一の受付番号を示す来訪情報を検出する。そして、出力制御部１３は、その検出された来訪情報に対応付けられた開始時刻情報に示された時刻を「未」から窓口処理情報（具体的には窓口処理情報に含まれる時刻情報）に示された処理開始時刻に変更するとともに、その検出された来訪情報に対応付けられたステータス情報に示されたステータスを「待機」から「済み」に変更する。また、出力制御部１３は、待機者管理テーブルに登録された来訪情報のうち情報取得部１１により取得された窓口処理情報（具体的には窓口処理情報に含まれる番号情報）に示された受付番号と同一の受付番号を示す来訪情報が抹消されるように、待機者管理テーブルを更新する。そして、出力制御部１３は、人数管理テーブルに登録された複数（図７の例では５つ）の来訪目的の各々の待機人数のうち待機者管理テーブルから抹消された来訪情報に示された来訪目的の待機人数から１を減算する。すなわち、出力制御部１３は、情報取得部１１により窓口処理情報（来訪者の待機状態が解除された旨を示す待機解除情報）が取得されると、人数管理テーブルに登録された複数の来訪目的の各々の待機人数のうちその窓口処理情報（待機解除情報）に対応する来訪目的の待機人数から１を減算する。次に、ステップＳ１５へ進む。
【００９０】
〈ステップＳ１５〉
次に、出力制御部１３は、来訪履歴管理テーブル（または待機者管理テーブル）に登録された複数の来訪情報の中に時刻情報に示された来訪時刻から解除時間が経過している来訪情報が存在するか否かを判定する。来訪時刻から解除時間が経過している来訪情報が存在している場合には、ステップＳ１６へ進み、そうでない場合には、ステップＳ１１へ進む。
【００９１】
〈ステップＳ１６〉
来訪履歴管理テーブル（または待機者管理テーブル）に登録された複数の来訪情報の中に来訪時刻から解除時間が経過している来訪情報が存在している場合、出力制御部１３は、来訪履歴管理テーブルにおいてその来訪情報（来訪時刻から解除時間が経過している来訪情報）に対応付けられたステータス情報に示されたステータスを「待機」から「済み」に変更するとともに、その来訪情報が待機者管理テーブルから抹消されるように待機者管理テーブルを更新する。そして、出力制御部１３は、人数管理テーブルに登録された複数（図７の例では５つ）の来訪目的の待機人数のうち待機者管理テーブルから抹消された来訪情報（すなわち来訪時刻から解除時間が経過している来訪情報）に示された来訪目的の待機人数から１を減算する。
【００９２】
なお、来訪履歴管理テーブル（または待機者管理テーブル）に登録された複数の来訪情報の中に来訪時刻から解除時間が経過している来訪情報が２つ以上存在している場合、出力制御部１３は、その２つ以上の来訪情報（来訪時刻から解除時間が経過している来訪情報）の各々に対して上記の処理を行う。
【００９３】
すなわち、出力制御部１３は、情報取得部１１により取得された来訪情報に含まれる時刻情報に示された来訪時刻から解除時間が経過すると、人数管理テーブルに登録された複数の来訪目的の各々の待機人数のうちその来訪情報（来訪時刻から解除時間が経過している来訪情報）に示された来訪目的の待機人数から１を減算する。次に、ステップＳ１１へ進む。
【００９４】
〔出力制御動作〕
次に、図１０を参照して、出力制御部１３による出力制御動作について説明する。出力制御動作は、情報取得部１１が来訪情報（または窓口処理情報）を取得する毎に行われてもよいし、予め定められた時間が経過する毎に行われてもよい。
【００９５】
〈ステップＳ２１〉
出力制御部１３は、人数管理テーブルに登録された複数の来訪目的の中に待機人数が人数閾値を上回る来訪目的（すなわち人数条件を満たす来訪目的）が存在するか否かを判定する。人数条件を満たす来訪目的が存在する場合には、ステップＳ２２へ進み、そうでない場合には、ステップＳ２５へ進む。
【００９６】
〈ステップＳ２２〉
次に、出力制御部１３は、人数管理テーブルに登録された複数の来訪目的の中に待機人数が人数閾値を上回る来訪目的（すなわち人数条件を満たす来訪目的）が２つ以上存在するか否かを判定する。人数条件を満たす来訪目的が２つ以上存在しない場合（すなわち複数の来訪目的のうちいずれか１つの来訪目的の待機人数が人数閾値を上回る場合）には、ステップＳ２３へ進み、そうでない場合（すなわち複数の来訪目的のうち２つ以上の来訪目的の待機人数が人数閾値をそれぞれ上回る場合）には、ステップＳ２４へ進む。
【００９７】
〈ステップＳ２３〉
複数の来訪目的のうちいずれか１つの来訪目的の待機人数が人数閾値を上回る場合、出力制御部１３は、その来訪目的に対応する来訪目的関連情報の出力の優先度が高くなるように、情報提供装置２００の表示部２０１（情報出力部１２）における情報の出力パターンを変更する。次に、ステップＳ２５へ進む。
【００９８】
例えば、人数管理テーブルに登録された５つの来訪目的の待機人数が人数閾値をそれぞれ上回らない状態から、図７に示すように５つの来訪目的のうち「ご融資・ローンのご相談」という来訪目的の待機人数が人数閾値（図７の例では２）を上回る一方で残りの４つの来訪目的の各々の待機人数が人数閾値を上回らない状態になると、出力制御部１３は、「ご融資・ローンのご相談」という来訪目的に対応する来訪目的関連情報（この例では「優遇金利ローンキャンペーンのお知らせ」に関する情報）の出力の優先度をゼロ（通常）から１（優先）にする。そして、出力制御部１３は、図８に示した制御テーブルに基づいて、情報提供装置２００の記憶部２０２に記憶された出力パターンテーブルの「優遇金利ローンキャンペーンのお知らせ」に関する情報（すなわち「ご融資・ローンのご相談」という来訪目的に対応する来訪目的関連情報）の出力時間を「１０秒」から「２０秒」に変更する。これにより、情報提供装置２００の記憶部２０２に記憶された出力パターンテーブルは、図４に示した出力パターンテーブルから図１１に示した出力パターンテーブルに変更される。その結果、情報提供装置２００の表示部２０１（情報出力部１２）により出力される６つの情報のうち「優遇金利ローンキャンペーンのお知らせ」に関する情報の出力時間が残りの５つの情報の出力時間よりも長くなる。
【００９９】
〈ステップＳ２４〉
一方、複数の来訪目的のうち２つ以上の来訪目的の待機人数が人数閾値をそれぞれ上回る場合、出力制御部１３は、それらの２つ以上の来訪目的のうち優先順位が最も高い来訪目的に対応する来訪目的関連情報の出力の優先度が高くなるように、情報提供装置２００の表示部２０１（情報出力部１２）における情報の出力パターンを変更する。次に、ステップＳ２５へ進む。
【０１００】
例えば、人数管理テーブルに登録された５つの来訪目的の待機人数が人数閾値をそれぞれ上回らない状態から、図１２に示すように５つの来訪目的のうち全ての来訪目的の待機人数が人数閾値をそれぞれ上回る状態になると、出力制御部１３は、５つの来訪目的のうち優先順位（人数管理テーブルに登録された優先順位）が最も高い「お振り込み・税金・公共料金」という来訪目的に対応する来訪目的関連情報（この例では「詐欺被害の注意喚起」に関する情報）の出力の優先度をゼロ（通常）から１（優先）にする。そして、出力制御部１３は、図８に示した制御テーブルに基づいて、情報提供装置２００の記憶部２０２に記憶された出力パターンテーブルの「詐欺被害の注意喚起」に関する情報（すなわち「お振り込み・税金・公共料金」という来訪目的に対応する来訪目的関連情報）の出力時間を「１０秒」から「２０秒」に変更する。これにより、情報提供装置２００の記憶部２０２に記憶された出力パターンテーブルは、図４に示した出力パターンテーブルから図１３に示した出力パターンテーブルに変更される。その結果、情報提供装置２００の表示部２０１（情報出力部１２）により出力される６つの情報のうち「詐欺被害の注意喚起」に関する情報の出力時間が残りの５つの情報の出力時間よりも長くなる。
【０１０１】
〈ステップＳ２５〉
次に、出力制御部１３は、人数管理テーブルに登録された複数の来訪目的の中に待機人数が人数閾値を上回らなくなった来訪目的（すなわち人数条件を満たさなくなった来訪目的）が存在するか否かを判定する。人数条件を満たさなくなった来訪目的が存在する場合には、ステップＳ２６へ進み、そうでない場合には、処理を終了する。
【０１０２】
〈ステップＳ２６〉
人数管理テーブルに登録された複数の来訪目的の中に待機人数が人数閾値を上回らなくなった来訪目的が存在する場合、出力制御部１３は、複数の来訪目的にそれぞれ対応する来訪目的関連情報のうち待機人数が人数閾値を上回らなくなった来訪目的に対応する来訪目的関連情報の出力の優先度が元に戻るように、情報提供装置２００の表示部２０１（情報出力部１２）における情報の出力パターンを変更する。すなわち、出力制御部１３は、複数の来訪目的のうち来訪目的関連情報の出力の優先度が高くなっている来訪目的の待機人数が人数閾値を上回らなくなると、その来訪目的に対応する来訪目的関連情報の出力の優先度が元に戻るように、情報提供装置２００の表示部２０１（情報出力部１２）における情報の出力パターンを変更する。そして、処理を終了する。
【０１０３】
例えば、図７に示した人数管理テーブルにおいて「ご融資・ローンのご相談」という来訪目的の待機人数が「３」から「０」になると、出力制御部１３は、「ご融資・ローンのご相談」という来訪目的に対応する来訪目的関連情報（この例では「優遇金利ローンキャンペーンのお知らせ」に関する情報）の出力の優先度を１（優先）からゼロ（通常）にする。そして、出力制御部１３は、図８に示した制御テーブルに基づいて、情報提供装置２００の記憶部２０２に記憶された出力パターンテーブルの「優遇金利ローンキャンペーンのお知らせ」に関する情報（「ご融資・ローンのご相談」という来訪目的に対応する来訪目的関連情報）の出力時間を「２０秒」から「１０秒」に変更する。これにより、情報提供装置２００の記憶部２０２に記憶された出力パターンテーブルは、図１１に示した出力パターンテーブルから図４に示した出力パターンテーブルに変更される。その結果、情報提供装置２００の表示部２０１（情報出力部１２）により出力される６つの情報のうち「優遇金利ローンキャンペーンのお知らせ」に関する情報の出力時間が残りの５つの情報の出力時間と同一となる。
【０１０４】
〔実施形態１による効果〕
以上のように、来訪者の来訪目的を示す複数の来訪情報に基づいて表示部２０１（情報出力部１２）における情報の出力パターンを変更することにより、来訪者の来訪目的に応じた情報を適切に提供することができる。
【０１０５】
具体的には、複数の来訪目的の各々の待機人数の変化に応じて来訪目的関連情報（来訪目的に対応する情報）の出力の優先度を変化させることにより、複数の来訪者の来訪目的に応じた情報を複数の来訪者に対して適切に提供することができる。
【０１０６】
このように、複数の来訪目的の待機人数の分布に基づいて優先的に出力すべき来訪目的関連情報を選定することができるので、より多くの来訪者の来訪目的に応じた情報を複数の来訪者に対して適切に提供することができる。
【０１０７】
また、複数の来訪目的のうちいずれか１つの来訪目的の待機人数が人数閾値を上回る場合に、その来訪目的に対応する来訪目的関連情報の出力の優先度を高くすることにより、その来訪目的関連情報（待機人数が人数閾値を上回る来訪目的に対応する来訪目的関連情報）を優先的に出力することができる。
【０１０８】
また、複数の来訪目的のうち２つ以上の来訪目的の待機人数が人数閾値をそれぞれ上回る場合に、その２つ以上の来訪目的のうち優先順位が最も高い来訪目的に対応する来訪目的関連情報の出力の優先度を高くすることにより、その来訪目的関連情報（待機人数が人数閾値をそれぞれ上回る２つ以上の来訪目的のうち優先順位が最も高い来訪目的に対応する来訪目的関連情報）を優先的に出力することができる。
【０１０９】
また、複数の来訪目的のうち来訪目的関連情報の出力の優先度が高くなっている来訪目的の待機人数が人数閾値を上回らなくなった場合に、その来訪目的に対応する来訪目的関連情報の出力の優先度を元に戻すことにより、その来訪目的関連情報（待機人数が人数閾値を上回らない来訪目的に対応する来訪目的関連情報）の優先的な出力を適切に終了することができる。
【０１１０】
また、人数閾値を複数の来訪目的毎に設定可能とすることにより、複数の来訪目的にそれぞれ対応する来訪目的関連情報の出力の優先度を高くするタイミングを来訪目的毎に調節することができる。
【０１１１】
また、情報取得部１１により来訪情報が取得された場合にその来訪情報に示された来訪目的の待機人数に１を加算し、来訪者の待機状態が解除された場合にその来訪者に対応する来訪目的の待機人数から１を減算する（具体的には情報取得部１１により窓口処理情報（待機解除情報）が取得された場合にその窓口処理情報に対応する来訪目的の待機人数から１を減算する）ことにより、複数の来訪目的の各々の待機人数を適切に管理することができる。
【０１１２】
また、情報取得部１１により取得された来訪情報に含まれる時刻情報に示された時刻から解除時間が経過した場合に、その来訪情報に示された来訪目的の待機人数から１を減算することにより、複数の来訪目的の各々の待機人数から来訪目的を達成せずに施設から退去しているとみなせる来訪者（すなわち施設内に待機していないとみなせる来訪者）の人数を減算することができる。これにより、複数の来訪目的の各々の待機人数を適切に管理することができる。
【０１１３】
（実施形態１の変形例１）
出力制御部１３は、複数の来訪目的のうち２つ以上の来訪目的の待機人数が人数閾値をそれぞれ上回ると、その２つ以上の来訪目的にそれぞれ対応する２つ以上の来訪目的関連情報の出力の優先度が優先順位の順で高くなるように、情報提供装置２００の表示部２０１（情報出力部１２）における情報の出力パターンを変更するように構成されていてもよい。
【０１１４】
具体的には、実施形態１の変形例１では、出力制御部１３は、図１０に示したステップＳ２４において、複数の来訪目的のうち２つ以上の来訪目的（待機人数が人数閾値をそれぞれ上回る２つ以上の来訪目的）にそれぞれ対応する２つ以上の来訪目的関連情報の出力の優先度が優先順位の順で高くなるように、情報提供装置２００の表示部２０１（情報出力部１２）における情報の出力パターンを変更する。
【０１１５】
例えば、人数管理テーブルに登録された５つの来訪目的の待機人数が人数閾値をそれぞれ上回らない状態から、図１４に示すように５つの来訪目的のうち全ての来訪目的の待機人数が人数閾値をそれぞれ上回る状態になると、出力制御部１３は、５つの来訪目的のうち優先順位（人数管理テーブルに登録された優先順位）が最も高い「お振り込み・税金・公共料金」という来訪目的に対応する来訪目的関連情報の出力の優先度をゼロ（通常）から５（優先）に設定し、優先順位が２番目に高い「ご融資・ローンのご相談」という来訪目的に対応する来訪目的関連情報の出力の優先度をゼロから４（優先）に設定し、優先順位が３番目に高い「お預け入れ・お引き出し」という来訪目的に対応する来訪目的関連情報の出力の優先度をゼロから３（優先）に設定し、優先順位が４番目に高い「各種お手続き」という来訪目的に対応する来訪目的関連情報の出力の優先度をゼロから２（優先）に設定し、優先順位が最も低い「資産運用・保険のご相談」という来訪目的に対応する来訪目的関連情報の出力の優先度をゼロから１（優先）に設定する。そして、出力制御部１３は、図８に示した制御テーブルに基づいて、情報提供装置２００の記憶部２０２に記憶された出力パターンテーブルにおいて６つの情報のうち５つの来訪目的にそれぞれ対応する５つの来訪目的関連情報の出力時間をそれぞれ変更する。これにより、情報提供装置２００の記憶部２０２に記憶された出力パターンテーブルは、図４に示した出力パターンテーブルから図１５に示した出力パターンテーブルに変更される。その結果、情報提供装置２００の表示部２０１（情報出力部１２）により出力される６つの情報のうち５つの来訪目的関連情報の出力時間が優先順位の順で長くなる。
【０１１６】
〔実施形態の変形例１による効果〕
以上のように、複数の来訪目的のうち２つ以上の来訪目的の待機人数が人数閾値をそれぞれ上回る場合に、その２つ以上の来訪目的にそれぞれ対応する２つ以上の来訪目的関連情報の出力の優先度を優先順位の順で高くすることにより、その２つ以上の来訪目的関連情報（待機人数が人数閾値をそれぞれ上回る２つ以上の来訪目的にそれぞれ対応する２つ以上の来訪目的関連情報）を優先的に出力することができる。
【０１１７】
（実施形態１の変形例２）
複数の来訪目的の各々に対して定められた優先順位は、その来訪目的の待機人数が多くなるほど高くなるように設定されていてもよい。
【０１１８】
実施形態１の変形例２では、出力制御部１３は、人数管理テーブルに登録された優先順位が複数の来訪目的の各々の待機人数の順となるように、人数管理テーブルに登録された複数の来訪目的の各々の待機人数の変化に応じて人数管理テーブルに登録された優先順位を変更する。
【０１１９】
例えば、図１６に示すように、人数管理テーブルにおいて、「お預け入れ・お引き出し」という来訪目的の待機人数が「５」となり、「各種お手続き」という来訪目的の待機人数が「６」となり、「資産運用・保険のご相談」という来訪目的の待機人数が「７」となり、「お振り込み・税金・公共料金」という来訪目的の待機人数が「８」となり、「ご融資・ローンのご相談」という来訪目的の待機人数が「９」となると、出力制御部１３は、人数管理テーブルにおいて、「お預け入れ・お引き出し」という来訪目的の優先順位を「５」にし、「各種お手続き」という来訪目的の優先順位を「４」にし、「資産運用・保険のご相談」という来訪目的の優先順位を「３」にし、「お振り込み・税金・公共料金」という来訪目的の優先順位を「２」にし、「ご融資・ローンのご相談」という来訪目的の優先順位を「１」にする。
【０１２０】
なお、実施形態１の変形例２において、実施形態１と同様に、出力制御部１３は、複数の来訪目的のうち２つ以上の来訪目的の待機人数が人数閾値をそれぞれ上回ると、その２つ以上の来訪目的のうち優先順位が最も高い（すなわち待機人数が最も多い）来訪目的に対応する来訪目的関連情報の出力の優先度が高くなるように、情報提供装置２００の表示部２０１（情報出力部１２）における情報の出力パターンを変更するように構成されていてもよい。例えば、図１６に示すように、出力制御部１３は、５つの来訪目的のうち優先順位が最も高い「お預け入れ・お引き出し」という来訪目的に対応する来訪目的関連情報の出力の優先度を１（優先）に設定する。これにより、情報提供装置２００の記憶部２０２に記憶された出力パターンテーブルは、図１１に示した出力パターンテーブルとなる。
【０１２１】
または、実施形態１の変形例２において、実施形態１の変形例１と同様に、出力制御部１３は、複数の来訪目的のうち２つ以上の来訪目的の待機人数が人数閾値をそれぞれ上回ると、その２つ以上の来訪目的にそれぞれ対応する２つ以上の来訪目的関連情報の出力の優先度が優先順位の順（すなわち待機人数の多い順）で高くなるように、情報提供装置２００の表示部２０１（情報出力部１２）における情報の出力パターンを変更するように構成されていてもよい。例えば、図１７に示すように、出力制御部１３は、５つの来訪目的のうち優先順位が最も高い「ご融資・ローンのご相談」という来訪目的に対応する来訪目的関連情報の出力の優先度を５（優先）に設定し、優先順位が２番目に高い「お振り込み・税金・公共料金」という来訪目的に対応する来訪目的関連情報の出力の優先度を４（優先）に設定し、優先順位が３番目に高い「資産運用・保険のご相談」という来訪目的に対応する来訪目的関連情報の出力の優先度を３（優先）に設定し、優先順位が４番目に高い「各種お手続き」という来訪目的に対応する来訪目的関連情報の出力の優先度を２（優先）に設定し、優先順位が最も低い「お預け入れ・お引き出し」という来訪目的に対応する来訪目的関連情報の出力の優先度を１（優先）に設定する。これにより、情報提供装置２００の記憶部２０２に記憶された出力パターンテーブルは、図１８に示した出力パターンテーブルとなる。
【０１２２】
〔実施形態１の変形例２による効果〕
以上のように、複数の来訪目的の各々に対して定められた優先順位を、その来訪目的の待機人数が多くなるほど高くなるように設定することにより、複数の来訪目的のうち待機人数が比較的に多い来訪目的に対応する来訪目的関連情報を優先的に出力することができる。
【０１２３】
（実施形態１の変形例３）
以上の説明では、情報の優先度が高くなるに連れて情報の出力時間が長くなるように情報提供装置２００の情報出力部１２（この例では表示部２０１）における情報の出力パターンが変更される場合を例に挙げたが、情報の優先度が高くなるに連れて情報の出力回数が多くなるように情報提供装置２００の情報出力部１２における情報の出力パターンが変更されていてもよい。
【０１２４】
実施形態１の変形例３では、管理コンピュータ３００の記憶部３０３には、図８に示した制御テーブルの代わりに、図１９に示した制御テーブルが記憶されている。図１９に示した制御テーブルには、情報の優先度と情報の出力回数とが対応付けられて登録されている。図１９に示した制御テーブルでは、情報の出力の優先度が高くなるに連れて、その情報の出力回数が多くなる。
【０１２５】
例えば、人数管理テーブルに登録された５つの来訪目的の待機人数が人数閾値をそれぞれ上回らない状態から、図７に示すように５つの来訪目的のうち「ご融資・ローンのご相談」という来訪目的の待機人数が人数閾値（図７の例では２）を上回る一方で残りの４つの来訪目的の各々の待機人数が人数閾値を上回らない状態になると、出力制御部１３は、「ご融資・ローンのご相談」という来訪目的に対応する来訪目的関連情報（この例では「優遇金利ローンキャンペーンのお知らせ」に関する情報）の出力の優先度をゼロ（通常）から１（優先）にする。そして、出力制御部１３は、図１９に示した制御テーブルに基づいて、情報提供装置２００の記憶部２０２に記憶された出力パターンテーブルの「優遇金利ローンキャンペーンのお知らせ」に関する情報（すなわち「ご融資・ローンのご相談」という来訪目的に対応する来訪目的関連情報）の出力回数を「１回」から「５回」に変更し、「優遇金利ローンキャンペーンのお知らせ」に関する情報の出力順番を「５番目」から「２番目と４番目と６番目と８番目と１０番目」に変更し、「インターネットバンキングの紹介」に関する情報と「各種手続の説明」に関する情報と「金融商品・保険商品の紹介」に関する情報と「詐欺被害の注意喚起」に関する情報と「年末年始の営業時間のお知らせ」に関する情報の出力順番をそれぞれ「第１番目」と「第３番目」と「第５番目」と「第７番目」と「第９番目」に設定する。これにより、情報提供装置２００の記憶部２０２に記憶された出力パターンテーブルは、図４に示した出力パターンテーブルから図２０に示した出力パターンテーブルに変更される。その結果、情報提供装置２００から出力される６つの情報のうち「ご融資・ローンのご相談」に関する情報の出力回数が残りの５つの情報の出力回数よりも多くなる。
【０１２６】
〔実施形態１の変形例３による効果〕
以上のように構成した場合も、来訪目的関連情報の出力の優先度に応じて来訪目的関連情報を優先的に出力することができる。
【０１２７】
（実施形態１のその他の変形例）
なお、情報の優先度が高くなるに連れて情報の表示態様が派手になるように情報提供装置２００の表示部２０１（情報出力部１２）における情報の出力パターンが変更されていてもよい。例えば、情報の優先度が高くなるに連れて情報提供装置２００に表示される情報の背景色が派手になるようにしてもよいし、情報の優先度が高くなるに連れて情報提供装置２００に表示される情報の点滅回数が多くなるようにしてもよいし、情報の優先度が高くなるに連れて情報提供装置２００に表示される情報が大きくなるようにしてもよい。このように構成した場合も、来訪目的関連情報の出力の優先度に応じて来訪目的関連情報を優先的に出力することができる。
【０１２８】
また、複数の来訪目的にそれぞれ対応する来訪目的関連情報のうち待機人数が人数閾値を上回る来訪目的に対応する来訪目的関連情報のみが出力されるように情報提供装置２００の表示部２０１（情報出力部１２）における情報の出力パターンが変更されていてもよい。
【０１２９】
また、以上の説明では、情報提供装置２００（情報出力部１２）により出力される複数の情報に複数の来訪目的関連情報が含まれている場合を例に挙げたが、これに限らず、情報提供装置２００により出力される複数の情報には、１つの来訪目的に対応する１つの来訪目的関連情報が含まれていてもよい。そして、出力制御部１３は、情報取得部１１により取得された複数の来訪情報に基づいて来訪目的の待機人数（来訪目的のために施設内に待機している来訪者の人数）を監視し、その来訪目的の待機人数の変化に応じて来訪目的関連情報の出力の優先度が変化するように、情報提供装置２００の表示部２０１（情報出力部１２）における情報の出力パターンを変更するものであってもよい。具体的には、出力制御部１３は、来訪目的の待機人数が予め定められた人数閾値を上回ると、来訪目的に対応する来訪目的関連情報の出力の優先度が高くなるように情報提供装置２００の表示部２０１（情報出力部１２）における情報の出力パターンを変更するように構成されていてもよい。また、出力制御部１３は、来訪目的に対応する来訪目的関連情報の出力の優先度が高くなっている場合に来訪目的の待機人数が人数閾値を上回らなくなると、来訪目的に対応する来訪目的関連情報の出力の優先度が元に戻るように情報提供装置２００の表示部２０１（情報出力部１２）における情報の出力パターンを変更するように構成されていてもよい。
【０１３０】
（実施形態２）
図２１は、実施形態２による情報提供装置２００の構成を例示している。実施形態２では、情報提供装置２００は、図１および図２に示した情報提供装置２００の構成に加えて操作部２１１を備えている。また、制御部２０３は、情報取得部１１と出力制御部１３を有している。そして、記憶部２０２には、出力パターンテーブルに加えて、来訪管理テーブルと、人数管理テーブルと、制御テーブルとが記憶されている。実施形態２による情報提供装置２００のその他の構成は、図１および図２に示した情報提供装置２００の構成と同様となっている。
【０１３１】
実施形態２による情報提供装置２００は、実施形態１の情報提供装置２００と同様に、情報提供システム１０の一部として利用される。実施形態２では、受付装置１００による受付処理において得られた来訪情報が受付装置１００から情報提供装置２００へ向けて送信され、窓口処理情報が窓口端末４００から情報提供装置２００へ向けて送信される。
【０１３２】
操作部２１１は、操作者による操作が与えられ、その操作者による操作に応じて情報を入力するように構成されている。例えば、操作部２１１は、タッチパネルの操作部によって構成されている。操作部２１１に入力された情報は、制御部２０３（情報取得部１１や出力制御部１３）に送信される。
【０１３３】
なお、実施形態２における情報取得部１１と表示部２０１（情報出力部１２）と出力制御部１３の動作は、実施形態１（または実施形態１の変形例１，変形例２，変形例３，その他の変形例）における情報取得部１１と表示部２０１（情報出力部１２）と出力制御部１３の動作と同様となっている。
【０１３４】
〔実施形態２による効果〕
実施形態２による情報提供装置２００では、実施形態１による情報提供システム１０と同様の効果を得ることができる。例えば、来訪者により選択された来訪目的を示す来訪情報に基づいて情報出力部における情報の出力パターンを変更することにより、来訪者の来訪目的に応じた情報を適切に提供することができる。
【０１３５】
（その他の実施形態）
以上の説明では、表示部２０１が記憶部２０２に記憶された情報を表示するように構成されている場合（具体的には表示部２０１が液晶ディスプレイによって構成されている場合）を例に挙げたが、表示部２０１は、複数の来訪目的にそれぞれ対応する来訪目的関連情報を含む複数の情報がそれぞれ掲載された複数のポスタを内蔵し、その複数のポスタの中からいずれか１つのポスタを掲示するように構成されていてもよい。例えば、表示部２０１を備えた情報提供装置２００は、循環式ポスタ掲示機（所謂くるくるポスタ）によって構成されていてもよい。
【０１３６】
また、以上の説明では、情報出力部１２が情報提供装置２００の表示部２０１によって構成されている場合を例に挙げたが、情報出力部１２は、情報提供装置２００に設けられた音声出力部（図示を省略）によって構成されていてもよいし、表示部２０１と音声出力部の組合せによって構成されていてもよい。すなわち、情報出力部１２から出力される情報は、画像であってもよいし、音声であってもよいし、画像および音声の両方であってもよい。
【０１３７】
また、以上の説明では、情報出力部１２が出力パターンに基づいて１つの情報を出力する場合を例に挙げたが、情報出力部１２は、２つ以上の情報が同時に出力するように構成されていてもよい。例えば、情報提供装置２００の表示部２０１に２つ以上の情報が同時に表示されてもよい。
【０１３８】
また、以上の説明では、複数の来訪目的毎に人数閾値が設定可能となっている場合を例に挙げたが、複数の来訪目的毎に定められた人数閾値は、互いに異なる人数であってもよいし、互いに同一の人数であってもよい。複数の来訪目的毎に定められた人数閾値は、可変値であってもよいし、固定値であってもよい。
【０１３９】
また、以上の説明では、情報提供システム１０が銀行内に待機する複数の来訪者に情報を提供する場合を例に挙げたが、これに限らず、情報提供システム１０は、その他の施設（例えば病院や店舗や役所など）内に待機する複数の来訪者に情報を提供するように構成されていてもよい。すなわち、情報提供装置２００は、銀行に限らず、その他の施設（例えば病院や店舗や役所など）内に設けられていてもよい。
【０１４０】
また、以上の実施形態および変形例を適宜組み合わせて実施してもよい。以上の実施形態および変形例は、本質的に好ましい例示であって、この発明、その適用物、あるいはその用途の範囲を制限することを意図するものではない。
【産業上の利用可能性】
【０１４１】
以上説明したように、ここに開示する技術は、情報提供システムおよび情報提供装置に有用である。
【符号の説明】
【０１４２】
１０          情報提供システム
１１          情報取得部
１２          情報出力部
１３          出力制御部
１００        受付装置
１０１        操作部
１０２        表示部
１０３        記憶部
１０４        印字部
１０５        制御部
２００        情報提供装置
２０１        表示部
２０２        記憶部
２０３        制御部
３００        管理コンピュータ
３０１        操作部
３０２        表示部
３０３        記憶部
３０４        制御部
４００        窓口端末
４０１        操作部
４０２        表示部
４０３        記憶部
４０４        制御部
５００        貨幣処理装置
６００        番号表示器
【図１】
2019106080.tif 000003
【図２】
2019106080.tif 000004
【図３】
2019106080.tif 000005
【図４】
2019106080.tif 000006
【図５】
2019106080.tif 000007
【図６】
2019106080.tif 000008
【図７】
2019106080.tif 000009
【図８】
2019106080.tif 000010
【図９】
2019106080.tif 000011
【図１０】
2019106080.tif 000012
【図１１】
2019106080.tif 000013
【図１２】
2019106080.tif 000014
【図１３】
2019106080.tif 000015
【図１４】
2019106080.tif 000016
【図１５】
2019106080.tif 000017
【図１６】
2019106080.tif 000018
【図１７】
2019106080.tif 000019
【図１８】
2019106080.tif 000020
【図１９】
2019106080.tif 000021
【図２０】
2019106080.tif 000022
【図２１】
2019106080.tif 000023